(57)【特許請求の範囲】
【請求項１】
道路や河川、海岸、線路沿い等の傾斜面に設置される擁壁ブロックにおいて、
擁壁ブロックは、基礎ブロックと、該基礎ブロックにインサート結合される壁ブロックとからなり、
前記基礎ブロックは、インサート溝を有するヘッドと地中に埋設されるアンカー部とから構成され、該インサート溝は、ヘッドの水平面に対して垂直或いは垂直方向より多少傾斜した角度で、且つ該壁ブロックをインサートするのみで組立自立できる溝とされ、該アンカー部は、該ヘッドより延設形成され、
前記壁ブロックは、前記基礎ブロックのインサート溝にインサートするのみで自立できる構成とされてなることを特徴とするインサート結合構造を有する擁壁ブロック。
【請求項２】
１枚の壁ブロックに対して１個以上の基礎ブロックを設けてなることを特徴とする請求項１記載のインサート結合構造を有する擁壁ブロック。
【請求項３】
１枚の壁ブロックに対して２個の基礎ブロックを設けてなることを特徴とする請求項１記載のインサート結合構造を有する擁壁ブロック。
【請求項４】
壁ブロックの背面にアンカーを設けたことを特徴とする請求項１ないし請求項３のいずれか１項記載のインサート結合構造を有する擁壁ブロック。
【請求項５】
道路や河川、海岸、線路沿い等の傾斜面に設置される基礎ブロックと壁ブロックとよりなる擁壁ブロックにおいて、
傾斜面を整地し、ヘッドに該ヘッドの水平面に対して垂直或いは垂直方向より多少傾斜した角度で且つ壁ブロックをインサートするのみで組立て自立できるインサート溝を形成し更に該ヘッドより延設されたアンカー部を有する基礎ブロックを該整地面に複数個配置し、その後、該インサート溝に該壁ブロックをインサートして自立させ、
次いで、該アンカー部の上方及び壁ブロックの背面に裏込め材を投入して締め固めてなることを特徴とするインサート結合構造を有する擁壁ブロックを使用した擁壁の施工方法。
【請求項６】
道路や河川、海岸、線路沿い等の傾斜面に設置される基礎ブロックと壁ブロックとよりなる擁壁ブロックにおいて、
傾斜面を整地し、ヘッドに該ヘッドの水平面に対して垂直或いは垂直方向より多少傾斜した角度で且つ壁ブロックをインサートするのみで組立て自立できるインサート溝を形成し更に該ヘッドより延設されたアンカー部を有する基礎ブロックを該整地面に複数個配置し、その後、該インサート溝に該壁ブロックをインサートして自立させ、
次いで、該アンカー部の上方及び壁ブロックの背面に裏込め材を投入して締め固め、
更に、該裏込め材の上に、上記と同様形状の複数の基礎ブロックを配置し、該基礎ブロックのヘッドに設けたインサート溝に壁ブロックをインサートして自立させ、
次いで、再度該アンカー部の上方及び壁ブロックの背面に裏込め材を投入して締め固め、
上記工程を２以上繰り返してなることを特徴とするインサート結合構造を有する擁壁の施工方法。
【請求項７】
１個以上の基礎ブロックに対して１枚の壁ブロックをインサート自立してなることを特徴とする請求項５又は請求項６記載のインサート結合構造を有する擁壁の施工方法。
【請求項８】
２個の基礎ブロックに対して１枚の壁ブロックをインサート自立してなることを特徴とする請求項５又は請求項６記載のインサート結合構造を有する擁壁の施工方法。
【請求項９】
壁ブロックの背面にアンカーを設けたことを特徴とする請求項５ないし請求項８のいずれか１項記載のインサート結合構造を有する擁壁の施工方法。
【請求項１０】
基礎ブロック及び壁ブロックによって覆われていない前面部に植生してなることを特徴とする請求項５ないし請求項９のいずれか１項記載のインサート結合構造を有する擁壁の施工方法。
【発明の詳細な説明】
【０００１】
【発明の属する技術分野】
本発明は、道路や河川、海岸、線路沿い等の傾斜面の崩壊を防止するため、該傾斜面を覆って上下左右に敷き詰めて設置される擁壁ブロックの改良に関し、更には、該擁壁ブロックがインサート結合構造を有する擁壁ブロックであるものに関し、更に又、該インサート結合構造を有する擁壁ブロックを使用した擁壁の施工方法に関する。
【０００２】
【従来の技術】
道路や河川、海岸、線路沿い等の傾斜面においては、該傾斜面の崩壊を防止するために傾斜面を覆うように擁壁ブロックを設置することは公知である。
従来公知の擁壁ブロックは、その作業性を向上させるために種々の工夫が凝らされている。
【０００３】
例えば、従来公知の設置作業は、クレーンによって個々の擁壁ブロックを吊り下げ、所定位置迄運んだ後にこれを順次積み上げている。
設置作業の迅速化を得るには、個々の擁壁ブロックが軽量であり、かつ自立できる構造となっていることが肝要である。
擁壁を軽量化するには板体からなる壁ブロックを用いると良い。
【発明が解決しようとする課題】
【０００４】
ところが、従来公知の板体からなる壁ブロックを用いた擁壁においては、個々の壁ブロックが自立できないため、設置作業に手間取るものとなり、結局高コスト、工期の長期化が避けられなかった。
【０００５】
又、前記従来公知の擁壁では、植生ができなかった。
更に又、壁ブロックの傾斜角度を定めることが困難であった。
更に、壁ブロックを保持するために、前面と背面からの支保工を設ける必要があり、作業コストが高くなってしまう。
【０００６】
そこで、本発明の目的は、前記従来公知の板体からなる壁ブロックの欠点を改善し、施工作業が簡単であり、工期の短縮が得られ、低コストが得られるようにしたインサート結合構造を有する擁壁ブロック及び該インサート結合擁壁ブロックを使用した擁壁の施工方法を提供するにある。
又、本発明の他の目的は、植生を可能としたインサート結合擁壁ブロックを使用した擁壁の施工方法を提供するにある。
【０００７】
【課題を解決するための手段】
本発明の特徴とするところは、次の構成にある。
即ち、道路や河川、海岸、線路沿い等の傾斜面に設置される擁壁ブロックにおいて、擁壁ブロックが基礎ブロックと、該基礎ブロックにインサート結合される壁ブロックとからなり、前記基礎ブロックがインサート溝を有するヘッドと地中に埋設されるアンカー部とからなり、前記壁ブロックが前記基礎ブロックのヘッドのインサート溝にインサートされてなることを特徴とするインサート結合構造を有する擁壁ブロック。
【０００８】
又、本発明の他の特徴とするところは、１枚の壁ブロックに対して１個以上の基礎ブロックを設けてなるところにあり、更に好ましくは１枚の壁ブロックに対して２個の基礎ブロックを設けてなるところにある。
【０００９】
又、本発明の他の特徴とするところは、壁ブロックにアンカーを設けたところにある。
【００１０】
又、本発明の他の特徴とするところは、道路や河川、海岸、線路沿い等の傾斜面に設置される擁壁ブロックの施工方法において、傾斜面を整地して複数の基礎ブロックを配置し、該基礎ブロックのヘッドに設けられたインサート溝に壁ブロックをインサートして組立て自立させ、次いで、壁ブロックの背面に裏込め材を投入して締め固めてなることを特徴とするインサート結合擁壁ブロックを使用した擁壁の施工方法にある。
【００１１】
又、本発明の他の特徴とするところは、裏込め材の上に複数の基礎ブロックを再度配置し、該基礎ブロックのヘッドに設けられたインサート溝に壁ブロックを再度インサートして組立て自立させ、次いで、再度壁ブロックの背面に裏込め材を投入して締め固め、この工程を２以上組み合わせてなるところにある。
【００１２】
又、本発明の他の特徴とするところは、１個以上の基礎ブロックに対して１枚の壁ブロックを設けてなるところにあり、２個の基礎ブロックに対して１枚の壁ブロックを設けてなるところにある。
【００１３】
又、本発明の他の特徴とするところは、壁ブロックにアンカーを設けたところにあり、更には基礎ブロック及び壁ブロックによって覆われていない前面部に植生してなるところにある。
【００１４】
【発明の実施の形態】
以下、図によって本発明の一実施例を説明する。
図１は本発明の一実施例になる擁壁ブロックのインサート結合構造を示す断面図であり、図２は擁壁の正面図であり、図３は図２の擁壁の平面図である。
【００１５】
この実施例の擁壁ブロック１は、道路や河川、海岸、線路沿い等の傾斜面Ｓの前面を整地してそこに設置されるものである。
擁壁ブロック１は基礎ブロック２と、該基礎ブロック２にインサート結合される壁ブロック３とからなっている。
前記基礎ブロック２はインサート溝４を有するヘッド２Ａと地中に埋設されるアンカー部２Ｂとからなっている。アンカー部２Ｂは上方からの土圧を受ける作用も兼用している。ヘッド２Ａに形成されたインサート溝４は垂直あるいは垂直方向に対して多少傾斜した角度となっている。
前記壁ブロック３は前記基礎ブロック２のヘッド２Ａのインサート溝４にインサートされる。
【００１６】
基礎ブロック２は、１枚の壁ブロック３に対して１個以上設けられるものであるが、この実施例では１枚の壁ブロック３に対して２個の基礎ブロック２を設けている。
壁ブロック３にはアンカー５が設けられ、該アンカー５の端部は傾斜面Ｓに埋設されている。
【００１７】
基礎ブロック２及び壁ブロック３によって覆われていない前面部は緑化部分となっており、適宜の植物が植生されている。
【００１８】
その施工方法を図４を用いて説明する。
道路や河川、海岸、線路沿い等の傾斜面Ｓの前面を整地して１段目の複数の基礎ブロック２を配置する。
そして、該基礎ブロック２に設けられたインサート溝４に壁ブロック３をインサートし、組立て自立させる。
次いで、該基礎ブロック２のアンカー部２Ｂの上方及び壁ブロック３の背面に裏込め材６を投入し、必要に応じてアンカー５を取り付けて締め固める。
【００１９】
次に、裏込め材６の上に２段目の基礎ブロック２を配置する。
そして、該基礎ブロック２に設けられたインサート溝４に２段目の壁ブロック３をインサートし、組立て自立させる。
次いで、該基礎ブロック２のアンカー部２Ｂの上方及び壁ブロック３の背面に裏込め材６を投入し、必要に応じてアンカー５を取り付けて締め固める。
これらの工程を必要な段数だけ組み合わせてインサート結合構造を有する擁壁を施工するものである。
【００２０】
なお、擁壁の段数は１段以上であれば適宜の段数を選択できるものである。
又、壁ブロック３のアンカー５は必要に応じて省略することもできる。
【００２１】
次に、これも必要に応じて、基礎ブロック２及び壁ブロック３によって覆われていない前面部は緑化部分として用いられるものであり、適宜の植物が植生される。
【００２２】
【発明の効果】
以上説明した本発明によると以下のような効果を奏する。
本発明によると、個々の壁ブロックが自立できるため、設置作業が簡単化し、低コスト、工期の短縮が得られるものとなる。
又、前面に容易に植生できるものとなるので、緑化擁壁が得られる。
更に又、壁ブロックをインサート溝にインサートするので、壁ブロックの傾斜角度を一定に定めることが容易となる。
更に、壁ブロックをインサート溝にインサート保持させるため、前面又は背面からの支保工を設ける必要がなくなり、作業コストが低減する。
【図面の簡単な説明】
【図１】図１は、本発明の一実施例になる擁壁ブロックのインサート結合構造を示す断面図である。
【図２】図２は、本発明の擁壁ブロックを使用した擁壁の正面図である。
【図３】図３は、図２の擁壁の平面図である。
【図４】図４は、本発明の擁壁ブロックによって擁壁を施工する状態を説明するための断面図である。
【符号の説明】
１  擁壁ブロック
２  基礎ブロック
２Ａ  ヘッド
２Ｂ  アンカー部
３  壁ブロック
４  インサート溝
５  アンカー
６  裏込め材
Ｓ  傾斜面
【図１】
0003639093.tif 000002
【図２】
0003639093.tif 000003
【図３】
0003639093.tif 000004
【図４】
0003639093.tif 000005